(57)【要約】【課題】画像信号の輝度レベルによってディスプレイの色温度が変化しないようにする画像処理システム、画像処理方法及び画像処理プログラムを提供する。【解決手段】画像処理システム１は、画像信号を入力する入力部２１と、輝度値毎に所定の値を記憶する記憶部２３と、画像信号に対して、画素毎に、画素の輝度値に対応する所定の値を乗算して画像信号を補正する色温度補正部２２と、補正した画像信号を出力する出力部２４とを備え、所定の値は、出力した画像信号が画像として表示される際の色温度を所定の範囲に収める補正をするゲイン値である。【選択図】図１
2017175269.tif 000002
【特許請求の範囲】
【請求項１】
画像信号を入力する入力部と、
輝度値毎に所定の値を記憶する記憶部と、
前記画像信号に対して、画素毎に、前記画素の輝度値に対応する前記所定の値を乗算して前記画像信号を補正する色温度補正部と、
前記補正した画像信号を出力する出力部とを備え、
前記所定の値は、前記出力した画像信号が画像として表示される際の色温度を所定の範囲に収める補正をするゲイン値である
ことを特徴とする画像処理装置。
【請求項２】
前記ゲイン値は、前記画像信号のＲＧＢ成分のうち、Ｒ成分のレベルを示す値を補正するＲゲイン値及びＢ成分のレベルを示す値を補正するＢゲイン値であり、
前記色温度補正部は、前記画像信号のＲ成分のレベルを示す値及びＢ成分のレベルを示す値に対して、前記画素の輝度値に対応する前記Ｒゲイン値、Ｂゲイン値をそれぞれ乗算して前記画像信号を補正する
ことを特徴とする請求項１に記載の画像処理装置。
【請求項３】
画像信号を入力する入力部と、
輝度値毎に所定の値を記憶する記憶部と、
前記画像信号の各画素のＲＧＢ成分のレベルを示す値を、前記画素の輝度値に対応する前記所定の値に変換して前記画像信号を補正する色温度補正部と、
前記補正した画像信号を出力する出力部とを備え、
前記所定の値は、前記出力した画像信号が画像として表示される際の色温度を所定の範囲に収めるＲＧＢ成分のレベルを示す値であることを特徴とする画像処理装置。
【請求項４】
ガンマ補正部を更に備え、
前記記憶部は、輝度値毎に、前記出力した画像信号を表示する画像表示装置の特性によって定まる画像信号の輝度値を所定の輝度値に補正するガンマゲイン値を記憶し、
前記ガンマ補正部は、前記画像信号又は前記補正した画像信号の各画素の輝度値に、前記画素の輝度値に対応する前記ガンマゲイン値を乗算する
ことを特徴とする請求項１乃至請求項３のいずれか１項に記載の画像処理装置。
【請求項５】
前記出力した画像信号を表示する画像表示装置の特性の変化又は前記画像表示装置周辺の環境の変化を計測するセンサと、
前記センサの計測結果に基づいて、前記記憶部に記憶された前記所定の値を選択する選択部と
を更に備えることを特徴とする請求項１乃至請求項４のいずれか１項に記載の画像処理装置。
【請求項６】
前記出力部は、輝度又色調のランクが同一である複数のＬＥＤを用いた液晶パネルを有する画像表示装置に前記補正した画像信号を出力し、
前記記憶部は、前記ランク毎に作成された前記所定の値を記憶し、
前記色温度補正部は、前記ランクに対応する前記所定の値を乗算して前記画像信号を補正する
ことを特徴とする請求項１乃至請求項５のいずれか１項に記載の画像処理装置。
【請求項７】
画像信号を入力するステップと、
輝度値毎に所定の値を記憶するステップと、
前記画像信号に対して、画素毎に、前記画素の輝度値に対応する前記所定の値を乗算して前記画像信号を補正するステップと、
前記補正した画像信号を出力するステップとを有し、
前記所定の値は、前記出力した画像信号が画像として表示される際の色温度を所定の範囲に収める補正をするゲイン値である
ことを特徴とする画像処理方法。
【請求項８】
画像信号を入力するステップと、
輝度値毎に所定の値を記憶するステップと、
前記画像信号に対して、画素毎に、前記画素の輝度値に対応する前記所定の値を乗算して前記画像信号を補正するステップと、
前記補正した画像信号を出力するステップとをコンピュータに実行させ、
前記所定の値は、前記出力した画像信号が画像として表示される際の色温度を所定の範囲に収める補正をするゲイン値である
ことを特徴とする画像処理プログラム。
【発明の詳細な説明】
【技術分野】
【０００１】
本発明は画像処理装置、画像処理方法及び画像処理プログラムに関する。
【背景技術】
【０００２】
入力された画像をディスプレイで忠実に再現するための画像処理装置が開発されている。例えば、特許文献１には、映像の明暗部分の明暗の程度に応じて、当該部分の階調特性を独立で調整する画像処理装置が記載されている。
【先行技術文献】
【特許文献】
【０００３】
【特許文献１】特開平７−２０３２４６号公報
【発明の概要】
【発明が解決しようとする課題】
【０００４】
従来、各種のディスプレイ、例えば、液晶ディスプレイにおいて、画面の色温度が画像信号の輝度レベルによって変化することが知られていたが、その変化を抑える対策は行われていなかった。なお、色温度とは、ある光源が発している光の色を定量的な数値で表現する尺度（単位）を意味する。
例えば、明るい画面で綺麗に見えていた肌色が、暗い画面になると青白く見えることがあり、テレビ局などのドラマ制作者側で設定した色彩効果が、ユーザ側のディスプレイの特性により十分に発揮できないという問題があった。
【０００５】
本発明は、このような問題を解決するためになされたものであり、画像信号の輝度レベルによってディスプレイの色温度が変化しないようにすることができる画像処理装置、画像処理方法及び画像処理プログラムを提供することを目的とする。
【課題を解決するための手段】
【０００６】
本発明は、画像信号を入力する入力部と、輝度値毎に所定の値を記憶する記憶部と、前記画像信号に対して、画素毎に、前記画素の輝度値に対応する前記所定の値を乗算して前記画像信号を補正する色温度補正部と、前記補正した画像信号を出力する出力部とを備え、前記所定の値は、出力される画像信号が画像として表示される際の色温度を所定の範囲に収める補正をするゲイン値であることを特徴とする画像処理装置を提供する。
【０００７】
また、本発明は、画像信号を入力するステップと、輝度値毎に所定の値を記憶するステップと、前記画像信号に対して、画素毎に、前記画素の輝度値に対応する前記所定の値を乗算して前記画像信号を補正するステップと、前記補正した画像信号を出力するステップとを有し、前記所定の値は、出力される画像信号が画像として表示される際の色温度を所定の範囲に収める補正をするゲイン値であることを特徴とする画像処理方法を提供する。
【０００８】
また、本発明は、画像信号を入力するステップと、輝度値毎に所定の値を記憶するステップと、前記画像信号に対して、画素毎に、前記画素の輝度値に対応する前記所定の値を乗算して前記画像信号を補正するステップと、前記補正した画像信号を出力するステップとをコンピュータに実行させ、前記所定の値は、出力される画像信号が画像として表示される際の色温度を所定の範囲に収める補正をするゲイン値であることを特徴とする画像処理プログラムを提供する。
【発明の効果】
【０００９】
本発明により、画像信号の輝度レベルによってディスプレイの色温度が変化しないようにする画像処理装置、画像処理方法及び画像処理プログラムを提供することができる。
【図面の簡単な説明】
【００１０】
【図１】実施の形態１に係る画像処理システム１の概略構成を示す図である。
【図２】実施の形態１に係るゲインを説明するための図である。
【図３】実施の形態１に係る画像表示装置３０のガンマ特性を示す図である。
【図４】実施の形態１に係る画像表示装置３０の色温度特性を示す図である。
【図５】実施の形態１に係る補正部２２による補正前後のＲＧＢ値を示す図である。
【図６】実施の形態１に係る別の画像処理システム２の概略構成を示す図である。
【図７】実施の形態２に係る画像処理システム３の概略構成を示す図である。
【発明を実施するための形態】
【００１１】
以下、図面を参照して各実施の形態に係る画像処理システム及び画像処理方法について説明する。
なお、本明細書の用語「画像」には、静止画像及び動画像が含まれる。
【００１２】
（実施の形態１）
本実施の形態１に係る画像処理システムは、外部機器と画像表示装置との間に新たに画像表示装置の色温度を補正する画像処理装置を追加して、画像表示装置での色温度が画像信号の各輝度レベルで変化しないようにするものである。
まず、本実施の形態１に係る画像処理装置について説明する。
【００１３】
図１は、画像処理システム１の概略構成を示す図である。
画像処理システム１は、外部機器１０、画像処理装置２０、画像表示装置３０などを備えている。
【００１４】
外部機器１０は、テレビジョン放送を受信するチューナ１１を備えた外部機器である。外部機器１０は、チューナ１１を用いてテレビジョン放送信号を受信し、復号等の所定の処理を行った上で、その信号を画像信号として画像処理装置２０に出力する。なお、外部機器１０は、チューナを備えた外部機器である必要はなく、例えば、ＤＶＤレコーダやＢＤレコーダであってもよい。
【００１５】
画像処理装置２０は、入力された画像信号に対して、ガンマ補正及び色温度補正を行い、補正後の画像信号を画像表示装置３０に出力する。このために、画像処理装置２０は、入力部２１、補正部２２、ゲイン記憶部２３、出力部２４などを備えている。画像処理装置２０は、例えばコンバータとして、画像処理装置単体で構成されている。また、画像表示装置３０又は外部機器１０に画像処理装置２０の構成を含むことで、画像表示装置３０又は外部機器１０と一体として構成されてもよい。
【００１６】
入力部２１は、外部機器１０から出力された画像信号を受けて、補正部２２に出力する。
補正部２２は、ゲイン記憶部２３に記憶したゲイン値を参照して、画像信号の画素毎にガンマ補正及び色温度補正を行い、出力部２４に出力する。なお、補正部２２は、例えばＣＰＵである。
【００１７】
ゲイン記憶部２３は、ガンマ補正及び色温度補正のためのゲイン値を、ＲＧＢ毎に、画像信号の輝度値毎に記憶している。当該ゲイン値は画像表示装置３０の色温度の特性及び目標色温度に対応して設定されており、目標色温度は、例えば、５０００〜６０００Ｋ、６０００〜７０００Ｋなどとする。なお、ゲイン記録部２３は、例えばメモリーである。
出力部２４は、補正した画像信号を画像表示装置３０に出力する。
なお、画像処理装置２０の動作の詳細については、後述する。
【００１８】
画像表示装置３０は、例えば、液晶ディスプレイ装置である。画像表示装置３０も従来技術のもので良く、ガンマ特性がγ＝２．２の理想的なガンマ曲線に近づくように、画像表示装置３０は内部で折れ線近似によるガンマ補正（γ補正）を行っている。ここで、ガンマ特性とは、入力された画像信号に対して出力される画像信号の輝度値（階調）の応答特性を意味する。また、ガンマ曲線とは、入力信号の輝度値に対する出力信号の輝度値を表した曲線である。
【００１９】
なお、画像処理装置２０が実現する各構成要素は、例えば、コンピュータである画像処理装置２０が備える演算装置（図示せず）の制御によって、プログラムを実行させることによって実現できる。より具体的には、画像処理装置２０は、記憶部（図示せず）に格納されたプログラムを主記憶装置（図示せず）にロードし、演算装置の制御によってプログラムを実行して実現する。また、各構成要素は、プログラムによるソフトウェアで実現することに限ることなく、ハードウェア、ファームウェア及びソフトウェアのうちのいずれかの組み合わせ等により実現しても良い。
【００２０】
上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００２１】
また、プログラムは、様々なタイプの一時的なコンピュータ可読媒体（transitory computer readable medium）によって画像処理装置２０に供給されても良い。一時的なコンピュータ可読媒体の例は、電気信号、光信号及び電磁波を含む。一時的なコンピュータ可読媒体は、電線及び光ファイバ等の有線通信路又は無線通信路を介して、プログラムを画像処理装置２０に供給できる。
【００２２】
次に、本実施の形態１に係る画像処理装置２０の動作、すなわち、画像処理方法について説明する。
前述したように、補正部２２は、ゲイン記憶部２３に記憶したゲイン値を用いて、画像信号のガンマ補正及び色温度補正を行う。より具体的には、補正部２２は、画像信号の各画素のＲＧＢの成分に対する各成分のレベルを示す値（Ｒ値、Ｇ値、Ｂ値）に、当該画素の輝度値に対応するゲイン値（Ｒゲイン値Rgain、Ｇゲイン値Ggain、Ｂゲイン値Bgain）を乗算して、画像信号のガンマ補正及び色温度補正を行う。このために、ゲイン記憶部２３はＲＧＢ毎に、画像信号の輝度値毎にゲイン値gainを記憶している。なお、当該画素の輝度値とは、各画素のＲＧＢ成分全体としての輝度値を指す。
【００２３】
図２は、本実施の形態１に係るゲインを説明するための図である。グラフの横軸は輝度値（０〜２５５階調）を示し、縦軸はゲイン値を示す。グラフ化に際し、見やすくするためにゲイン値及びその変化量を若干強調して示している。
【００２４】
図２（ａ）は本実施の形態１に係るガンマ補正及び色温度補正を１回の乗算で実現するためのゲイン値Rgain、Ggain、Bgainを示し、図２（ｂ）は本実施の形態１に係るガンマ補正だけを行うためのゲイン値gainγを示し、図２（ｃ）は本実施の形態１に係る色温度補正だけを行うためのゲイン値RgainC、GgainC、BgainCを示す。なお、ガンマ補正だけを行うためのゲイン値gainγは、ＲＧＢで共通である。また、図２（ｃ）に示すGgainCは１で一定であるが、これは、Ｇ成分を基準にすることで、画素の輝度値に大きな影響を与えることなく、色温度補正を行うためである。
【００２５】
図２からも分かるように、ガンマ補正及び色温度補正のゲイン値gainは、ガンマ補正のためのゲイン値gainγと、色温度補正のためのゲイン値gainCとを乗算した結果の値である。
【００２６】
ここで、ガンマ補正のためのゲイン値gainγ及び色温度補正のためのゲイン値gainCについて説明する。
図３は、本実施の形態１に係る画像表示装置３０のガンマ特性を示す図である。横軸は入力信号の輝度値を示し、縦軸は出力信号の輝度値を示す。
【００２７】
前述したように、画像表示装置３０はその内部で折れ線近似（図３の太破線）によるガンマ補正を行っているが、折れ線近似の変換精度によってはγ＝２．２の理想的なガンマ曲線（図３の太実線）との間に誤差ｅが生じてしまう。そこで、画像信号の輝度値にゲイン値gainγを乗算することで誤差ｅを補正できるようにする。
【００２８】
例えば、入力信号の輝度値がＡのときに、理想的なガンマ曲線による出力信号の輝度値が５０で、折れ線近似による出力信号の輝度値が５５になるのであれば、入力信号の輝度値Ａのときのゲイン値gainγを５０／５５＝０．９１に設定する。つまり、ゲイン値gainγは、輝度値毎に設定されており、画面表示装置３０のガンマ特性及びガンマ補正によって定まる出力信号の輝度値を、ガンマ特性が２．２であるガンマ曲線によって定まる輝度値に補正するゲイン値である。
【００２９】
また、このような誤差ｅは、画像表示装置３０に用いる、例えば、液晶ディスプレイ装置の個体毎に異なるが、本実施の形態１では、液晶ディスプレイ装置の機種毎に、また、入力信号の輝度値毎に誤差ｅの平均値を求め、機種毎に、図２（ｂ）に示したようなゲイン値gainγを設定する。このとき、色彩輝度計などを用いて液晶ディスプレイ装置の個体毎のガンマ特性を測定し、誤差ｅを算出する。
【００３０】
図４は、本実施の形態１に係る画像表示装置３０の色温度特性を示す図である。横軸は入力信号の輝度値を示し、縦軸は色温度を示す。
補正前の色温度特性（近似値、図４の実線）は、入力信号の輝度値が小さいときは色温度が大きく、入力信号の輝度値が大きいときは色温度が小さくなっている。このために、上述したように、明るい画面で綺麗に見えていた肌色が、暗い画面になると青白く見えてしまう。
【００３１】
そこで、入力信号の輝度値に対して色温度（図４の破線）が所定の範囲、例えば、目標色温度の５０００〜６０００Ｋに入るように、画像信号を補正する。なお、画像表示装置３０の色温度は画像表示装置３０に入力される輝度信号によって変化するが、その変化量は画像表示装置３０によって異なる。そのため、画像表示装置３０の色温度の特性及び目標色温度に基づき、色温度補正のためのゲイン値gainCを設定する
【００３２】
具体的には、入力信号の輝度値が小さいときに、入力信号のＲＧＢ値に対して、色温度補正後のＲ値が大きくなりまたＢ値が小さくなるように、図２（ｃ）のように、色温度補正のためのゲイン値gainCを設定する。
【００３３】
このとき、輝度値（Ｙ）とＲＧＢ値との変換式（１）を用いて、色温度補正前後で輝度値（Ｙ）が変化しないように、色温度補正後のＲ値、Ｂ値及びそのための色温度補正のゲイン値RgainC、BgainCを設定する。
Ｙ ＝ ０．２９９Ｒ ＋ ０．５８７Ｇ ＋ ０．１１４Ｂ      ・・・式（１）
【００３４】
図５は、本実施の形態１に係る補正部２２による補正前後のＲＧＢ値を示す図である。
画像処理装置２０は、図５に示す補正後のＲＧＢ値を画像表示装置３０に出力することで、画像表示装置３０において、ガンマ特性及び色温度の特性が改善され、入力された画像をディスプレイでより忠実に再現することができる。
【００３５】
なお、本実施の形態１に係る画像処理装置２０又は画像処理方法では、ゲイン記憶部２３がガンマ補正及び色温度補正を行うためのゲイン値gainを記憶し、補正部２２が当該ゲイン値gainを用いてガンマ補正及び色温度補正を行ったが、目標色温度毎にゲイン値gainを記憶し、ユーザなどが目標色温度に応じてゲイン値gainを選択して、補正部２２がガンマ補正及び色温度補正を行っても良い。
【００３６】
また、本実施の形態１に係る画像処理装置２０又は画像処理方法では、各画素の輝度値が各画素のＲＧＢ成分全体としての輝度値を指すものとしていたが、各画素の輝度値がＲ成分、Ｂ成分、Ｇ成分それぞれの輝度値を指すものであってもよい。もしくは、Ｒ成分、Ｂ成分、Ｇ成分のいずれかの輝度値を各画素の輝度値としてもよい。
【００３７】
また、本実施の形態１に係る画像処理装置２０又は画像処理方法では、ゲイン記憶部２３が輝度値毎のゲイン値gainを記憶し、補正部２２が入力した画像信号の画素毎に、そのＲＧＢ値に、当該画素の輝度値に対応するゲイン値gainを乗算して、画号信号を補正したが、画像処理装置２０又は画像処理方法がゲイン記憶部２３に代えて図５に示したような補正前後のＲＧＢ値を登録したＬＵＴ（Look Up Table）を記憶するＬＵＴ記憶部を備え、補正部２２が、ＲＧＢ値にゲイン値gainを乗算する代わりに、ＬＵＴを参照して補正前のＲＧＢ値を補正後のＲＧＢ値に変換するようにしても良い。これにより、乗算するための回路構成を省略することができ、画像処理装置２０の小型化を図ることができる。
【００３８】
また、本実施の形態１に係る画像処理装置２０又は画像処理方法では、補正部２２がゲイン値Gainを用いてガンマ補正及び色温度補正を行ったが、補正部２２をガンマ補正部と色温度補正部とに分離して、ゲイン記憶部２３もガンマ補正のためのゲイン値gainγ及び色温度補正のためのゲイン値gainCを記憶するようにして、ガンマ補正部がゲイン値gainγを用いてガンマ補正を行い、色温度補正部がゲイン値gainCを用いて色温度補正を行っても良い。
【００３９】
図６は、本実施の形態１に係る別の画像処理システム２の概略構成を示す図である。
画像処理システム２は、画像処理装置２０に代えて、画像処理装置１２０を備えている。また、画像処理装置１２０は、入力部２１、ガンマ補正部、色温度補正部１２３、ＬＵＴ記憶部１２４、出力部２４などを備えている。入力部２１、出力部２４は画像処理装置２０に係るものと同様であっても良い。
【００４０】
ガンマ補正部１２２は、入力された画像信号に対して、ＬＵＴ記憶部１２４に記憶したガンマ補正のためのＬＵＴγを参照して、ガンマ補正を行う。色温度補正部１２３は、入力された画像信号に対して、ＬＵＴ記憶部１２４に記憶した色温度補正のためのＬＵＴｃＲ、ＬＵＴｃＧ、ＬＵＴｃＢを参照して、色温度補正を行う。つまり、ＬＵＴ記憶部１２４には、上述したゲイン値gainγ、RgainC、GgainC、BgainCの代わりに、ＬＵＴγ、ＬＵＴｃＲ、ＬＵＴｃＧ、ＬＵＴｃＢが格納されており、ガンマ補正部１２２及び色温度補正部１２３は、入力された補正前の画像信号を、ガンマ補正及び色温度補正後の画像信号に変換する。
【００４１】
画像処理装置１２０は、ＬＵＴγ、ＬＵＴｃを参照して、ガンマ補正部１２２、色温度補正部１２３がそれぞれ補正を行うことで、各補正の自由度を大きくし、また、処理速度を大きくすることができる。
【００４２】
このように、本実施の形態１に係る画像処理システム１、２は、外部機器１０と画像表示装置３０との間に新たに画像信号の色温度を補正する画像処理装置２０、１２０を追加して、画像表示装置３０での色温度が画像信号の各輝度レベルで変化しないようにし、入力された画像を画像表示装置３０で忠実に再現できるようにするものである。
【００４３】
以上、説明したように、本実施の形態１に係る画像処理装置２０は、画像信号を入力する入力部２１と、輝度値毎に所定の値を記憶する記憶部２３と、画像信号に対して、画素毎に、画素の輝度値に対応する所定の値を乗算して画像信号を補正する色温度補正部２２と、補正した画像信号を出力する出力部２４とを備え、所定の値は、出力した画像信号が画像として表示される際の色温度を所定の範囲に収める補正をするゲイン値であるものである。
【００４４】
また、本実施の形態１に係る画像処理装置２０は、ゲイン値は、画像信号のＲＧＢ成分のうち、Ｒ成分のレベルを示す値を補正するＲゲイン値及びＢ成分のレベルを示す値を補正するＢゲイン値であり、色温度補正部２２は、画像信号のＲ成分のレベルを示す値及びＢ成分のレベルを示す値に対して、画素の輝度値に対応するＲゲイン値、Ｂゲイン値をそれぞれ乗算して画像信号を補正することも可能である。
【００４５】
また、本実施の形態１に係る画像処理装置２０は、画像信号を入力する入力部２１と、
輝度値毎に所定の値を記憶する記憶部１２４と、画像信号の各画素のＲＧＢ成分のレベルを示す値を、画素の輝度値に対応する所定の値に変換して画像信号を補正する色温度補正部１２３と、補正した画像信号を出力する出力部２４とを備え、所定の値は、出力した画像信号が画像として表示される際の色温度を所定の範囲に収めるＲＧＢ成分のレベルを示す値であるものである。
【００４６】
また、本実施の形態１に係る画像処理装置２０は、ガンマ補正部２２を更に備え、記憶部２３は、輝度値毎に、出力した画像信号を表示する画像表示装置３０の特性によって定まる画像信号の輝度値を所定の輝度値に補正するガンマゲイン値を記憶し、ガンマ補正部２２は、画像信号又は補正した画像信号の各画素の輝度値に、画素の輝度値に対応するガンマゲイン値を乗算することも可能である。
【００４７】
また、本発明の画像処理方法は、画像信号を入力するステップと、輝度値毎に所定の値を記憶するステップと、画像信号に対して、画素毎に、画素の輝度値に対応する所定の値を乗算して画像信号を補正するステップと、補正した画像信号を出力するステップとを有し、所定の値は、出力した画像信号が画像として表示される際の色温度を所定の範囲に収める補正をするゲイン値であるものである。
【００４８】
また、本発明の画像処理プログラムは、画像信号を入力するステップと、輝度値毎に所定の値を記憶するステップと、画像信号に対して、画素毎に、画素の輝度値に対応する所定の値を乗算して画像信号を補正するステップと、補正した画像信号を出力するステップとをコンピュータに実行させ、所定の値は、出力した画像信号が画像として表示される際の色温度を所定の範囲に収める補正をするゲイン値であるものである。
【００４９】
（実施の形態２）
実施の形態１に係る画像処理装置２０では、ゲイン記憶部２３が目標色温度に対応するゲイン値gainをＲＧＢ毎、輝度値毎に記憶していたが、本実施の形態２に係る画像処理装置では、画像表示装置の特性及び画像表示装置周辺の環境に対応させてゲイン値gainを変えて、入力された画像を画像表示装置で、より忠実に再現できるようにするものである。
【００５０】
つまり、画像表示装置の特性とは、画像処理装置の出力先である画像表示装置毎に異なる色温度の特性又は輝度の特性、また、画像表示装置が同一であったとしても、経年により変化した画像表示装置の色温度の特性又は輝度の特性である。画像表示装置周辺の環境とは、画像表示装置に対する周辺の明るさ（輝度等）である。
【００５１】
図７は、本実施の形態２に係る画像処理システム３の概略構成を示す図である。
画像処理システム３は、外部機器１０、画像処理装置２２０、画像表示装置３０、操作部２５０、センサ２６１、２６２などを備えている。外部機器１０、画像表示装置３０は、実施の形態１に係る画像処理システム１のものと同様であって良い。
【００５２】
画像処理装置２２０は、入力部２１、補正部２２２、ＬＵＴ記憶部２２３、ＬＵＴ選択部２２４、出力部２４などを備えている。入力部２１、出力部２４は、実施の形態１に係る画像処理装置２０のものと同様であって良い。
補正部２２２は、ＬＵＴ記憶部２２３に記憶したＬＵＴを参照して、入力部２１から入力した画像信号のＲＧＢ値をガンマ補正及び色温度補正の後のＲＧＢ値に変換し、変換した（つまり、補正した）信号を出力部２４に出力する。
【００５３】
ＬＵＴ記憶部２２３は、画像表示装置３０の各種の状態に対応するために、複数のＬＵＴを記憶している。ＬＵＴ選択部２４０は、操作部２５０でのユーザの指示を入力信号として受けることによって、又は、センサ２６１、２６２でのセンシングの結果を入力信号として受けることによって、ＬＵＴ記憶部２２３において、補正部１２２で用いるＬＵＴを選択する。
【００５４】
操作部２５０は、例えば、画像処理装置２２０と接続可能であるパーソナルコンピュータや、数値を直接入力するキーボードなどであるがこれらに限らない。要するに、画像表示装置３０の特性（色温度の特性、輝度の特性など）に基づく指示などをユーザが入力できるものであればよい。ユーザが操作部２５０において、例えば、画像表示装置３０の色温度の特性を入力したときに、ＬＵＴ選択部２４０は、入力された色温度の特性に合ったＬＵＴを選択する。これにより、画像表示装置３０の特性の変化に対応させてゲイン値gainを変えることが可能となる。
【００５５】
センサ２６１は、例えば、時間を計測するタイマーである。センサ２６１は、画像表示装置３０が備える液晶モニタの稼働時間を所定の間隔（年単位、月単位など）で計測する。液晶モニタの稼働時間が所定の時間経過したときには、経年により画像表示装置３０の色温度の特性又は輝度の特性が変化したとして、ＬＵＴ選択部２２４が、変化した特性に適したガンマ補正又は色温度補正のＬＵＴを自動的に選択して、補正部２２２に供給するようにする。
【００５６】
センサ２６２は、例えば、輝度を計測できる輝度計である。センサ２６２は、画像表示装置３０の周辺の輝度値を計測する。計測された輝度値が所定の範囲を超えて変化した場合には、例えば、使用環境が屋内から屋外に変化として、ＬＵＴ選択部２４０が、変化した使用環境に適した目標色温度のＬＵＴを自動的に選択して、補正部２２２に供給するようにする。これにより、画像表示装置３０周辺の環境に対応させてゲイン値gainを変えることが可能となる。
【００５７】
このように、本実施の形態２に係る画像処理装置２２０又は画像処理方法は、ＬＵＴ選択部２２４などを追加して、画像表示装置３０の特性及び画像表示装置３０周辺の環境などにより、色温度の特性、輝度の特性、目標色温度が変わっても、適切にＬＵＴを選択して、入力された画像を画像表示装置３０で忠実に再現できるようにするものである。
【００５８】
なお、本実施の形態２に係る画像処理装置２２０又は画像処理方法では、ＬＵＴ記憶部２２３が大型化しないように、画像表示装置３０の液晶パネルのバックライトのＬＥＤ（Light Emitting Diode、発光ダイオード）の輝度や色調のランクを揃えた上で、そのランクに応じたＬＵＴをＬＵＴ記憶部２２３に記憶してもよい。これにより、所定の範囲のＬＥＤのランクに応じた所定数のＬＵＴを用意し、操作部２５０からの指示に応じてその所定数のＬＵＴから適切なＬＵＴを選択することができ、予め記憶させるＬＵＴを少なくして、ＬＵＴ記憶部２２３を小型化することが可能となる。
【００５９】
また、本実施の形態２に係る画像処理システム３では、センサ２６１、センサ２６２及び操作部２５０を画像処理装置２２０又は画像表示装置３０とは別体とする構成としたが、センサ２６１、センサ２６２、操作部２５０は、画像処理装置２２０又は画像表示装置３０と一体にする構成にしてもよい。例えば、画像表示装置３０がセンサ２６１、センサ２６２を一体として備え、画像処理装置２２０が操作部２５０を一体として備える構成にしてもよい。但し、これに限定する趣旨でなく、一体とする構成の組み合わせは適宜変更可能である。
【００６０】
以上、説明したように、本実施の形態２に係る画像処理装置２２０は、出力した画像信号を表示する画像表示装置３０の特性の変化又は画像表示装置３０周辺の環境の変化を計測するセンサ２６１、２６２と、センサ２６１、２６２の計測結果に基づいて、記憶部２２３に記憶された所定の値を選択する選択部２２４とを更に備えることも可能である。
【００６１】
また、本実施の形態２に係る画像処理装置２２０は、出力部２４は、輝度又色調のランクが同一である複数のＬＥＤを用いた液晶パネルを有する画像表示装置３０に補正した画像信号を出力し、記憶部２２３は、ランク毎に作成された所定の値を記憶し、色温度補正部２２２は、ランクに対応する所定の値を乗算して画像信号を補正することも可能である。
【符号の説明】
【００６２】
１、２、３    画像処理システム
１０    外部機器
２０、１２０、２２０    画像処理装置
２１    入力部
２２、２２２    補正部
２３    ゲイン記憶部
２４    出力部
３０    画像表示装置
１２２    ガンマ補正部
１２３    色温度補正部
１２４、２２３    ＬＵＴ記憶部
２２４    ＬＵＴ選択部
２５０    操作部
２６１、２６２    センサ
【図１】
2017175269.tif 000003
【図２】
2017175269.tif 000004
【図３】
2017175269.tif 000005
【図４】
2017175269.tif 000006
【図５】
2017175269.tif 000007
【図６】
2017175269.tif 000008
【図７】
2017175269.tif 000009